(57)【要約】【課題】本発明は、非対応の新たなフォーマットの信号に対する入力切替処理を自動的に実行させるようにする。【解決手段】本発明は、接続されている複数のソースにそれぞれ対応した複数の信号経路を有するＡＶアンプ５の複数の信号経路にそれぞれ対応させたソース選択検出用の基準信号Ｂ１〜Ｂ３を生成して当該複数の信号経路へ供給し、出力される基準信号Ｂ１〜Ｂ３を検出することによりＡＶアンプ５に対して現在選択されているソースを認識し、その認識したソースの信号ＳＶ１〜ＳＶ３だけをＡＶアンプ５とは別のアンプ連動セレクタ１０１により選択してモニター６へ供給するようにその入力を切り替えることにより、新たなフォーマットの信号ＳＶ１〜ＳＶ３を扱うことのできない場合であっても、そのアンプ５に対して選択されているソースに連動させて、その信号ＳＶ１〜ＳＶ３を選択してモニター６へ出力することができる。【選択図】図３
2008182450.tif 000002
【特許請求の範囲】
【請求項１】
接続されている複数のソースにそれぞれ対応した複数の信号経路を有する信号処理手段の上記複数の信号経路にそれぞれ対応させたソース選択検出用の基準信号を生成する基準信号生成手段と、
上記基準信号を上記複数の信号経路へ供給し、当該複数の信号経路を介して出力される上記基準信号を検出することにより上記信号処理手段に対して現在選択されている上記ソースを認識するソース認識手段と、
上記ソース認識手段によって上記複数のソースの中から認識した上記ソースの信号だけを選択して所定の出力対象へ供給するようにその入力を切り替える信号選択切替手段と
を具えることを特徴とするセレクタ装置。
【請求項２】
上記ソース認識手段は、上記基準信号生成手段により上記複数の信号経路に合わせて生成された複数の上記基準信号を、所定の基準信号用セレクタ回路を介して順番に上記複数の信号経路へ供給する
ことを特徴とする請求項１に記載のセレクタ装置。
【請求項３】
上記ソース認識手段は、上記基準信号生成手段により上記複数の信号経路に合わせて生成された複数の上記基準信号を、所定の基準信号用セレクタ回路を介して同時に上記複数の信号経路へ供給する
ことを特徴とする請求項１に記載のセレクタ装置。
【請求項４】
接続されている複数のソースにそれぞれ対応した複数の信号経路を有する信号処理手段の上記複数の信号経路にそれぞれ対応させたソース選択検出用の基準信号を生成する基準信号生成ステップと、
上記基準信号を上記複数の信号経路へ供給し、当該複数の信号経路を介して出力される上記基準信号を検出することにより上記信号処理手段に対して現在選択されている上記ソースを認識するソース認識ステップと、
上記ソース認識ステップによって上記複数のソースの中から認識した上記ソースの信号だけを選択して所定の出力対象へ供給するようにその入力を切り替える信号選択切替ステップと
を具えることを特徴とする信号選択切替方法。
【請求項５】
情報処理装置に対して、
接続されている複数のソースにそれぞれ対応した複数の信号経路を有する信号処理手段の上記複数の信号経路にそれぞれ対応させたソース選択検出用の基準信号を生成する基準信号生成ステップと、
上記基準信号を上記複数の信号経路へ供給し、当該複数の信号経路を介して出力される上記基準信号を検出することにより上記信号処理手段に対して現在選択されている上記ソースを認識するソース認識ステップと、
上記ソース認識ステップによって上記複数のソースの中から認識した上記ソースの信号だけを選択して所定の出力対象へ供給するようにその入力を切り替える信号選択切替ステップと
を具えることを特徴とする信号選択切替プログラム。
【発明の詳細な説明】
【技術分野】
【０００１】
本発明は、セレクタ装置、信号選択切替方法及び信号選択切替プログラムに関し、例えばＡＶ(Audio Visual)アンプにとって非対応の新たなフォーマットでなる映像信号を、当該ＡＶアンプを介して出力する音声信号と連動させて切り替えることによりモニターへ出力するホームシアターシステムに適用して好適なものである。
【背景技術】
【０００２】
従来、映像信号には、所定の周波数に変調されたＲＦ(Radio Frequency)信号、コンポジットビデオ信号、Ｙ／Ｃ分離ビデオ信号（Ｓビデオ信号）、ＲＧＢビデオ信号、コンポーネントビデオ信号、ＨＤＭＩ(High Definition Multimedia Interface)ビデオ信号等のように、アナログ／ディジタル方式を含めて様々なフォーマットが存在する。
【０００３】
これらの映像信号は、新しいフォーマットが登場する度に画質改善のため映像機器間の信号受け渡しに利用されると共に、テレビ機器にも次々と採用されている。
【０００４】
他方、ＤＶＤ(Digital Versatile Disc)を中心として、当該ＤＶＤの映像を大画面、高音質で楽しむいわゆるホームシアターシステムが近年注目されており、このホームシアターシステムを構成するときには、映像／音声信号のセレクタ回路を含んだＡＶアンプが使用されることが多い。
【０００５】
このＡＶアンプには、ＤＶＤの映像に合わせて臨場感のある音声信号を再生するためのＤＳＰ(Digital Signal Processor)等が搭載されており、複数接続された映像機器から入力されるコンテンツの映像信号及び音声信号をセレクタ回路によって自由に選択し得るようになされている。
【０００６】
例えば、図１に示すように、従来のホームシアターシステム１では、ＤＶＤレコーダ２、ＶＴＲ(Video Tape Recorder)３及びＣＳ(Communication Satellite)チューナ４がＡＶアンプ５と接続され、そのＡＶアンプ５がモニター６と接続された構成を有している。
【０００７】
この場合、ＤＶＤレコーダ２のコンポジットビデオ出力端子ＣＶＤと、ＡＶアンプ５のコンポジットビデオ入力端子ＶＩＮ１とが接続され、かつ当該ＤＶＤレコーダ２のオーディオ出力端子ＡＤとＡＶアンプ５のオーディオ入力端子ＡＩＮ１とが接続されている。
【０００８】
従ってホームシアターシステム１では、ＤＶＤレコーダ２のコンポジットビデオ出力端子ＣＶＤから出力されるコンポジットビデオ信号ＣＶ１を、コンポジットビデオ入力端子ＶＩＮ１を介してＡＶアンプ５へ供給すると共に、ＤＶＤレコーダ２のオーディオ出力端子ＡＤから出力されるオーディオ信号Ａ１を、オーディオ入力端子ＡＩＮ１を介してＡＶアンプ５へ供給するようになされている。
【０００９】
またＶＴＲ３のコンポジットビデオ出力端子ＣＶＶと、ＡＶアンプ５のコンポジットビデオ入力端子ＶＩＮ２とが接続され、かつ当該ＶＴＲ３のオーディオ出力端子ＡＶとＡＶアンプ５のオーディオ入力端子ＡＩＮ２とが接続されている。
【００１０】
従ってホームシアターシステム１では、ＶＴＲ３のコンポジットビデオ出力端子ＣＶＶから出力されるコンポジットビデオ信号ＣＶ２を、コンポジットビデオ入力端子ＶＩＮ２を介してＡＶアンプ５へ供給すると共に、ＶＴＲ３のオーディオ出力端子ＡＶから出力されるオーディオ信号Ａ２を、オーディオ入力端子ＡＩＮ２を介してＡＶアンプ５へ供給するようになされている。
【００１１】
同様に、ＣＳチューナ４のコンポジットビデオ出力端子ＣＶＣと、ＡＶアンプ５のコンポジットビデオ入力端子ＶＩＮ３とが接続され、かつ当該ＣＳチューナ４のオーディオ出力端子ＡＣとＡＶアンプ５のオーディオ入力端子ＡＩＮ３とが接続されている。
【００１２】
従ってホームシアターシステム１では、ＣＳチューナ４のコンポジットビデオ出力端子ＣＶＣから出力されるコンポジットビデオ信号ＣＶ３を、コンポジットビデオ入力端子ＶＩＮ３を介してＡＶアンプ５へ供給すると共に、ＣＳチューナ４のオーディオ出力端子ＡＣから出力されるオーディオ信号Ａ３を、オーディオ入力端子ＡＩＮ３を介してＡＶアンプ５へ供給するようになされている。
【００１３】
ＡＶアンプ５は、ユーザによって例えばＤＶＤレコーダ２がソースとして選択された場合、内蔵されているビデオ／オーディオセレクタ回路５Ａによって選択したコンポジットビデオ信号ＣＶ１を、出力端子ＶＯからモニター６のコンポジットビデオ入力端子ＶＩを介して当該モニター６へ供給してＤＶＤレコーダ２によるビデオ映像を映し出させると共に、ビデオ／オーディオセレクタ回路５Ａによって選択したオーディオ信号Ａ１をスピーカ出力端子ＳＰＯからスピーカ７へ出力させることにより当該ビデオ映像に合わせた音声を放音するようになされている。
【００１４】
またＡＶアンプ５は、ユーザによって例えばＶＴＲ３がソースとして選択された場合、内蔵されているビデオ／オーディオセレクタ回路５Ａによって選択したコンポジットビデオ信号ＣＶ２を、出力端子ＶＯからモニター６のコンポジットビデオ入力端子ＶＩを介して当該モニター６へ供給してＶＴＲ３によるビデオ映像を映し出させると共に、ビデオ／オーディオセレクタ回路５Ａによって選択したオーディオ信号Ａ２をスピーカ出力端子ＳＰＯからスピーカ７へ出力させることにより当該ビデオ映像に合わせた音声を放音するようになされている。
【００１５】
さらにＡＶアンプ５は、ユーザによって例えばＣＳチューナ４がソースとして選択された場合、内蔵されているビデオ／オーディオセレクタ回路５Ａによって選択したコンポジットビデオ信号ＣＶ３を、出力端子ＶＯからモニター６のコンポジットビデオ入力端子ＶＩを介して当該モニター６へ供給してＣＳチューナ４によるビデオ映像を映し出させると共に、ビデオ／オーディオセレクタ回路５Ａによって選択したオーディオ信号Ａ３をスピーカ出力端子ＳＰＯからスピーカ７へ出力させることにより当該ビデオ映像に合わせた音声を放音するようになされている。
【００１６】
このようにＡＶアンプ５は、ユーザによって選択されたソース（ＤＶＤレコーダ２、ＶＴＲ３又はＣＳチューナ４の何れか）に合わせて、内蔵されているビデオ／オーディオセレクタ回路５Ａによって選択したコンポジットビデオ信号ＣＶ１〜ＣＶ３の何れかを出力端子ＶＯからコンポジットビデオ入力端子ＶＩを介して当該モニター６へ供給してそのビデオ映像を表示させ得ると共に、コンポジットビデオ信号ＣＶ１〜ＣＶ３の何れかに合わせてビデオ／オーディオセレクタ回路５Ａにより選択したオーディオ信号Ａ１〜Ａ３の何れかをスピーカ出力端子ＳＰＯからスピーカ７へ出力させることにより当該ビデオ映像に合わせた音声を放音し得るようになされている。
【００１７】
しかしながら、このホームシアターシステム１では、新たな映像機器がＡＶアンプ５に接続され、その新たな映像機器から新しいフォーマットの映像信号（例えばＳビデオ信号）の入力を受ける場合、この映像信号については、コンポジットビデオ信号ＣＶ１〜ＣＶ３の切替機能しか持たないビデオ／オーディオセレクタ回路５Ａによって選択することができない。
【００１８】
従って、コンポジットビデオ信号の切替機能しか持たないビデオ／オーディオセレクタ回路５Ａの搭載されたＡＶアンプ５を含むホームシアターシステム１では、Ｓビデオ信号に対する入力端子を備えたテレビ機器に対して、ＡＶアンプ５を介してＳビデオ出力端子を持った映像機器を複数接続しようとした場合、このＡＶアンプ５がＳビデオ信号の切替に対応していないため、Ｓビデオ信号の切替機能を有するタイプの新しいＡＶアンプに交換しなければならなくなる。
【００１９】
このような場合ホームシアターシステム１では、ユーザに対して新しいＡＶアンプに買い換えさせるというコスト面での負担を強いることになり、必ずしも好ましい状態とは言えない。
【００２０】
一方、ホームシアターシステム１のＡＶアンプ５を、Ｓビデオ信号の切替機能を有するタイプの新しいＡＶアンプに交換するのではなく、当該ＡＶアンプ５とは個別にＳビデオ信号用セレクタを用意することが考えられる。
【００２１】
図１との対応部分に同一符号が付された図２に示すように、このホームシアターシステム１０では、コンポジットビデオ出力端子（図示せず）に加えてＳビデオ出力端子ＳＶＤを備えたＤＶＤレコーダ１２、Ｓビデオ出力端子ＳＶＶを備えたＶＴＲ１３及びＳビデオ出力端子ＳＶＣを備えたＣＳチューナ１４と、それらのＳビデオ出力端子ＳＶＤ、ＳＶＶ及びＳＶＣに対応したＳビデオ入力端子ＳＩＮ１、ＳＩＮ２及びＳＩＮ３を備えたビデオ信号切替用セレクタ回路１５とが接続されている。
【００２２】
このビデオ信号切替用セレクタ回路１５は、Ｓビデオ出力端子ＳＯを有し、当該Ｓビデオ出力端子ＳＯと、モニター６のＳビデオ入力端子ＳＶＩとが接続されている。すなわち、このモニター６は、コンポジット入力端子ＶＩ（図１）に加えてＳビデオ入力端子ＳＶＩをも備えており、コンポジットビデオ信号の映像だけでなく、Ｓビデオ信号の映像についても表示し得るようになされている。
【００２３】
これによりホームシアターシステム１０では、ＤＶＤレコーダ１２、ＶＴＲ１３又はＣＳチューナ１４から出力するＳビデオ信号ＳＶ１〜ＳＶ３のうち、Ｓビデオ信号切替用セレクタ回路１５によって選択したＳビデオ信号ＳＶ１〜ＳＶ３の何れかを、コンポジットビデオ信号の切替機能しか持たないＡＶアンプ５を介することなくモニター６へ出力してＳビデオ信号の映像を表示させ得るようになされている。
【００２４】
またホームシアターシステム１０では、ＤＶＤレコーダ１２のオーディオ出力端子ＡＤとＡＶアンプ５のオーディオ入力端子ＡＩＮ１とが接続され、ＶＴＲ１３のオーディオ出力端子ＡＶとＡＶアンプ５のオーディオ入力端子ＡＩＮ２とが接続され、更にＣＳチューナ１４のオーディオ出力端子ＡＣとＡＶアンプ５のオーディオ入力端子ＡＩＮ３とが接続されている。
【００２５】
従ってＡＶアンプ５は、Ｓビデオ信号切替用セレクタ１５によって選択されたソース（ＤＶＤレコーダ１２、ＶＴＲ１３又はＣＳチューナ１４の何れか）に合わせて、内蔵されているビデオ／オーディオセレクタ回路５Ａによって選択したオーディオ信号Ａ１〜Ａ３の何れかをスピーカ出力端子ＳＰＯからスピーカ７へ出力させることにより、モニター６に映し出したＳビデオ信号の映像に合わせた音声を放音し得るようになされている。
【００２６】
因みに、技術的思想として必ずしも同じではないが、所定のネットワークを介して接続される機器からの複数の信号形式の伝送信号を受信して通信制御を行う場合に、ネットワークを介して接続される機器が操作可能なものか否かを示すリストを信号形式の区別なくＧＵＩ表示させ、そのリストの中から選択された機器をデータ転送可能な状態に論理的に接続すると共に、複数の信号形式でなる伝送信号の何れを出力するかを検出して機器の種類を判別し、その判別した種類に対応した制御コマンドを使用して操作のための制御を行うようになされた電子機器がある（例えば、特許文献１参照）。
【特許文献１】特開2005-167387公報
【発明の開示】
【発明が解決しようとする課題】
【００２７】
ところでかかる構成のホームシアターシステム１０（図２）においては、ＡＶアンプ５に対するソース選択のための入力切替操作と、新たに追加したビデオ信号切替用セレクタ回路１５に対するソース選択のための入力切替操作とは連動していないため、ＡＶアンプ５及びビデオ信号切替用セレクタ回路１５に対する２回の入力切替操作をユーザに行わせなければならないという問題があった。
【００２８】
具体的には、ＡＶアンプ５に対する入力切替操作にはリモートコントローラによって行われることが一般的であるが、新たに追加されたビデオ信号切替用セレクタ回路１５に対する入力切替操作を、そのリモートコントローラによって行うことは出来ないのが通常であるため、ＡＶアンプ５に対してリモートコントローラによる入力切替操作を行わせることに加えて、ビデオ信号切替用セレクタ回路１５に対する入力切替操作を行わせなければならないという煩雑な手間をユーザに強いることになってしまう。
【００２９】
本発明は以上の点を考慮してなされたもので、新たなフォーマットの信号に対する入力切替処理についても連動して実行させ得るセレクタ装置、信号選択切替方法及び信号選択切替プログラムを提案しようとするものである。
【課題を解決するための手段】
【００３０】
かかる課題を解決するため本発明においては、接続されている複数のソースにそれぞれ対応した複数の信号経路を有する信号処理手段の複数の信号経路にそれぞれ対応させたソース選択検出用の基準信号を生成し、基準信号を複数の信号経路へ供給し、当該複数の信号経路を介して出力される基準信号を検出することにより信号処理手段に対して現在選択されているソースを認識し、複数のソースの中から認識したソースの信号だけを選択して所定の出力対象へ供給するようにその入力を切り替えることにより、信号処理手段が複数のソースの信号を扱うことのできない場合であっても、その信号処理手段に対して選択されているソースに連動させて、そのソースの信号を選択して出力することができる。
【発明の効果】
【００３１】
本発明によれば、信号処理手段が複数のソースの信号を扱うことのできない場合であっても、その信号処理手段に対して選択されているソースに連動させて、そのソースの信号を選択して出力することができ、かくして新たなフォーマットの信号に対する入力切替処理についても連動して実行させ得るセレクタ装置、信号選択切替方法及び信号選択切替プログラムを実現することができる。
【発明を実施するための最良の形態】
【００３２】
以下、図面について、本発明の一実施の形態を詳述する。
【００３３】
（１）ホームシアターシステムの全体構成
図２との対応部分に同一符号を付した図３に示すように、本実施の形態におけるホームシアターシステム１００においては、コンポジットビデオ出力端子（図示せず）に加えてＳビデオ出力端子ＳＶＤを備えたＤＶＤレコーダ１２、コンポジットビデオ出力端子（図示せず）に加えてＳビデオ出力端子ＳＶＶを備えたＶＴＲ１３及びコンポジットビデオ出力端子（図示せず）に加えてＳビデオ出力端子ＳＶＣを備えたＣＳチューナ１４、それらのＳビデオ出力端子ＳＶＤ、ＳＶＶ及びＳＶＣに対応したＳビデオ入力端子ＳＩＮ１、ＳＩＮ２及びＳＩＮ３を備えた本発明のアンプ連動セレクタ１０１とが接続されている。
【００３４】
このアンプ連動セレクタ１０１は、Ｓビデオ出力端子ＳＯを有し、当該Ｓビデオ出力端子ＳＯと、モニター６のＳビデオ入力端子ＳＶＩとが接続されている。
【００３５】
またホームシアターシステム１００では、ＤＶＤレコーダ１２のオーディオ出力端子ＡＤとＡＶアンプ５のオーディオ入力端子ＡＩＮ１とが接続され、ＶＴＲ１３のオーディオ出力端子ＡＶとＡＶアンプ５のオーディオ入力端子ＡＩＮ２とが接続され、更にＣＳチューナ１４のオーディオ出力端子ＡＣとＡＶアンプ５のオーディオ入力端子ＡＩＮ３とが接続されている。
【００３６】
ＡＶアンプ５は、ユーザによって選択されたソース（ＤＶＤレコーダ１２、ＶＴＲ１３又はＣＳチューナ１４の何れか）に合わせて、ビデオ／オーディオセレクタ回路５Ａによって選択したオーディオ信号Ａ１〜Ａ３の何れかをスピーカ出力端子ＳＰＯからスピーカ７へ出力させるようになされている。
【００３７】
ここで、ホームシアターシステム１００では、ＡＶアンプ５に対するユーザのソース選択結果（すなわちＡＶアンプ５からスピーカ７へ出力されるオーディオ信号Ａ１〜Ａ３の何れか）に連動させて、アンプ連動セレクタ１０１のＳビデオ出力端子ＳＯから出力するＳビデオ信号ＳＶ１〜ＳＶ３をビデオ信号切替用セレクタ回路１５によって自動的に切り替えさせ、モニター６にそのＳビデオ信号ＳＶ１〜ＳＶ３に基づく映像を表示させ得るようになされている。
【００３８】
アンプ連動セレクタ１０１は、ＣＰＵ(Central Processing Unit)構成でなるマイクロコンピュータ（以下、これをマイコンと呼ぶ）１０２が基本プログラムに従って全体を統括制御すると共に、所定のアプリケーションプログラムに従ってＡＶアンプ５に対するユーザのソースに対する入力切替操作に連動させ、Ｓビデオ出力端子ＳＯから出力するＳビデオ信号ＳＶ１〜ＳＶ３を切り替え得るようになされている。
【００３９】
すなわちホームシアターシステム１００では、ＡＶアンプ５に対してＤＶＤレコーダ１２がユーザによりソースとして選択されていた場合、アンプ連動セレクタ１０１のビデオ信号切替用セレクタ回路１５により自動的にＤＶＤレコーダ１２のＳビデオ信号ＳＶ１をソース選択してモニター６へ出力し、ＡＶアンプ５に対してＶＴＲ１３がユーザによりソースとして選択されていた場合、アンプ連動セレクタ１０１のビデオ信号切替用セレクタ回路１５により自動的にＶＴＲ１３のＳビデオ信号ＳＶ２をソース選択してモニター６へ出力し、ＡＶアンプ５に対してＣＳチューナ１４がユーザによりソースとして選択されていた場合、アンプ連動セレクタ１０１のビデオ信号切替用セレクタ回路１５により自動的にＣＳチューナ１４のＳビデオ信号ＳＶ３をソース選択してモニター６へ出力し得るようになされている。
【００４０】
実際上アンプ連動セレクタ１０１では、アプリケーションプログラムである信号選択切替プログラムに従い、マイコン１０２が検出回路１０５による検出結果に基づいて基準信号用セレクタ回路１０３、発振回路（ＯＳＣ）１０４及びビデオ信号切替用セレクタ回路１５を制御し、信号選択切替処理手順を実行するようになされており、その具体的処理については、図４のフローチャートを用いて説明する。
【００４１】
アンプ連動セレクタ１０１のマイコン１０２は、ルーチンＲＴ１の開始ステップから入って次のステップＳＰ１へ移り、基準信号用セレクタ回路１０３における切替端子１０３Ａの位置を基準信号出力端子ＣＯ１に初期設定すると共に、ビデオ信号切替用セレクタ回路１５における切替端子１５Ａの位置をＳビデオ入力端子ＳＩＮ１に初期設定することにより当該基準信号用セレクタ回路１０３及び当該ビデオ信号切替用セレクタ回路１５を初期化し、かつ発振回路１０４からソース選択検出用の第１基準信号Ｂ１を基準信号用セレクタ回路１０３経由でＡＶアンプ５へ出力開始し、次のステップＳＰ２へ移る。
【００４２】
ここでアンプ連動セレクタ１０１及びＡＶアンプ５は、アンプ連動セレクタ１０１の基準信号用セレクタ回路１０３における基準信号出力端子ＣＯ１と、ＡＶアンプ５のコンポジットビデオ入力端子ＶＩＮ１とが接続され、基準信号用セレクタ回路１０３における基準信号出力端子ＣＯ２と、ＡＶアンプ５のコンポジットビデオ入力端子ＶＩＮ２とが接続され、更に、基準信号用セレクタ回路１０３における基準信号出力端子ＣＯ３とＡＶアンプ５のコンポジットビデオ入力端子ＶＩＮ３とが接続されると共に、ＡＶアンプ５の出力端子ＶＯとアンプ連動セレクタ１０１の基準信号入力端子ＣＩＮとが接続されている。
【００４３】
従ってアンプ連動セレクタ１０１のマイコン１０２では、基準信号用セレクタ回路１０３の基準信号出力端子ＣＯ１から出力された第１基準信号Ｂ１がＡＶアンプ５に入力された際、当該ＡＶアンプ５におけるＤＶＤレコーダ１２がソースとしてユーザにより選択されていた場合、コンポジットビデオ入力端子ＶＩＮ１、ビデオ／オーディオセレクタ回路５Ａ、出力端子ＶＯの信号経路を順次介して当該第１基準信号Ｂ１がアンプ連動セレクタ１０２の基準信号入力端子ＣＩＮに戻されることになる。
【００４４】
そうするとアンプ連動セレクタ１０２のマイコン１０２は、検出回路１０５によって第１基準信号Ｂ１が検出できたことを判別することができるので、ビデオ信号切替用セレクタ回路１５の切替端子１５ＡをＤＶＤレコーダ１２からのＳビデオ信号ＳＶ１に合わせてＳビデオ入力端子ＳＩＮ１に制御し得るようになされている。
【００４５】
しかし、アンプ連動セレクタ１０１のマイコン１０２では、基準信号用セレクタ回路１０３の基準信号出力端子ＣＯ１から出力された第１基準信号Ｂ１がＡＶアンプ５に入力された際、当該ＡＶアンプ５におけるＤＶＤレコーダ１２以外がソースとしてユーザにより選択されていた場合、コンポジットビデオ入力端子ＶＩＮ１、ビデオ／オーディオセレクタ回路５Ａ、出力端子ＶＯの信号経路を順次介して当該第１基準信号Ｂ１がアンプ連動セレクタ１０２の基準信号入力端子ＣＩＮに戻ってくることがない。
【００４６】
このときアンプ連動セレクタ１０１のマイコン１０２では、検出回路１０５によって第１基準信号Ｂ１を検出できなかったことを判別することができるので、ビデオ信号切替用セレクタ回路１５の切替端子１５ＡをＳビデオ入力端子ＳＩＮ１に設定することはできないと判別し得るようになされている。
【００４７】
そして発振回路１０４は、検出回路１０５によって第１基準信号Ｂ１を検出できなかったときは、マイコン１０２の制御により、第１基準信号Ｂ１とは非同期の第２基準信号Ｂ２を発振回路１０４により生成し、これを基準信号用セレクタ回路１０３の基準信号出力端子ＣＯ２及びコンポジットビデオ入力端子ＶＩＮ２経由でＡＶアンプ５へ出力し、同様にＡＶアンプ５の出力端子ＶＯ経由で第２基準信号Ｂ２が検出回路１０５により検出できたか否かを判別するようになされている。
【００４８】
続いてアンプ連動セレクタ１０１のマイコン１０２は、検出回路１０５によって第２基準信号Ｂ２を検出できなかったときは、第１基準信号Ｂ１及び第２基準信号Ｂ２の双方とも非同期の第３基準信号Ｂ３を発振回路１０４により生成させ、これを基準信号用セレクタ回路１０３の基準信号出力端子ＣＯ３及びコンポジットビデオ入力端子ＶＩＮ３経由でＡＶアンプ５へ出力し、同様にＡＶアンプ５の出力端子ＶＯ経由で第３基準信号Ｂ３が検出回路１０５により検出できたか否かを判別するようになされている。
【００４９】
ステップＳＰ２においてアンプ連動セレクタ１０１のマイコン１０２は、ＡＶアンプ５の基準信号入力端子ＣＩＮから例えば第１基準信号Ｂ１が検出できたか否かを検出回路１０５によって判別し、肯定結果が得られると、次のステップＳＰ３へ移る。
【００５０】
ステップＳＰ３においてアンプ連動セレクタ１０１のマイコン１０２は、基準信号用セレクタ回路１０３によって第１基準信号Ｂ１が検出できたということは、ビデオ／オーディオセレクタ回路５Ａにより、コンポジットビデオ入力端子ＶＩＮ１と出力端子ＶＯとが接続され、かつオーディオ入力端子ＡＩＮ１とスピーカ出力端子ＳＰＯとが接続されていること、すなわちＡＶアンプ５に対してＤＶＤレコーダ１２がソースとして選択されたことを意味しており、このとき図５に示すように予めＲＡＭ(Random Access Memory)等に登録しておいた入力切替テーブルＴ１に従って、ビデオ信号切替用セレクタ１５の切替端子１５ＡをＳビデオ入力端子ＳＩＮ１に設定するよう制御し、再度ステップＳＰ２へ戻る。
【００５１】
これに対してステップＳＰ２で否定結果が得られると、このことは、ＡＶアンプ５の基準信号入力端子ＣＩＮから第１基準信号Ｂ１を検出できず、すなわちＡＶアンプ５に対してＤＶＤレコーダ１２がソースとして選択されていないことを表しており、このときアンプ連動セレクタ１０１のマイコン１０２は次のステップＳＰ４へ移る。
【００５２】
ステップＳＰ４においてアンプ連動セレクタ１０１のマイコン１０２は、基準信号用セレクタ回路１０３から出力した基準信号Ｂが、当該基準信号用セレクタ回路１０３の最大出力数（この場合、第１基準信号Ｂ１〜第３基準信号Ｂ３までの「３」）であるか否かを判定し、肯定結果が得られると次のステップＳＰ５へ移る。
【００５３】
ステップＳＰ５においてアンプ連動セレクタ１０１のマイコン１０２は、基準信号用セレクタ回路１０３から出力した基準信号Ｂが、当該基準信号用セレクタ回路１０３の最大出力数（この場合、第３基準信号Ｂ３の「３」）であるため、第１基準信号Ｂ１〜第３基準信号Ｂ３まで１巡したことを表しており、このとき基準信号用セレクタ回路１０３の切替端子１０３Ａの位置を初期化したときの元の基準信号出力端子ＣＯ１に戻し、再度ステップＳＰ２へ戻って以降の処理を繰り返す。
【００５４】
これに対してステップＳＰ４で否定結果が得られると、このことは基準信号用セレクタ回路１０３から出力した基準信号Ｂが、当該基準信号用セレクタ回路１０３の最大出力数（この場合、第３基準信号Ｂ３の「３」）に到達しておらず、第１基準信号Ｂ１〜第３基準信号Ｂ３まで１巡していないことを表しており、このときアンプ連動セレクタ１０１のマイコン１０２は、次のステップＳＰ６へ移る。
【００５５】
ステップＳＰ６においてアンプ連動セレクタ１０１のマイコン１０２は、基準信号用セレクタ回路１０３の切替端子１０３Ａの位置を次に一つずらすと共に、次の基準信号Ｂを生成してその出力を開始し、再度ステップＳＰ２へ戻って上述の処理を繰り返す。
【００５６】
（２）動作及び効果
以上の構成において、ホームシアターシステム１００のアンプ連動セレクタ１０１では、マイコン１０２の制御により基準信号用セレクタ回路１０３の基準信号出力端子ＣＯ１〜ＣＯ３を順次切り替えながら基準信号Ｂ１〜Ｂ３をＡＶアンプ５へ出力し、当該ＡＶアンプ５内の信号経路から基準信号入力端子ＣＩＮを介して第１基準信号Ｂ１〜Ｂ３の何れがアンプ連動セレクタ１０２に戻ってくるか否かを検出することにより、ＡＶアンプ５のビデオ／オーディオセレクタ回路５Ａによりコンポジットビデオ入力端子ＶＩＮ１〜コンポジットビデオ入力端子ＶＩＮ３の何れと出力端子ＶＯとが論理的に接続されているのかを検証する。
【００５７】
すなわちアンプ連動セレクタ１０１のマイコン１０２は、基準信号入力端子ＣＩＮを介して第１基準信号Ｂ１が戻ってきたことを検証できれば、それはコンポジットビデオ入力端子ＶＩＮ１と出力端子ＶＯとがビデオ／オーディオセレクタ回路５Ａにより接続され、かつオーディオ入力端子ＡＩＮ１とスピーカ出力端子ＳＰＯとが接続されていること、すなわちＡＶアンプ５に対してＤＶＤレコーダ１２がソースとして選択されていることを認識し得、その結果、ビデオ信号切替用セレクタ回路１５の切替端子１５ＡをＤＶＤレコーダ１２に対応したＳビデオ入力端子ＳＩＮ１に設定するよう制御し、ＤＶＤレコーダ１２からのＳビデオ信号ＳＶ１をＳビデオ出力端子ＳＯからモニター６へ出力し、そのＳビデオ信号ＳＶ１に基づく映像を表示させる。
【００５８】
またアンプ連動セレクタ１０１のマイコン１０２は、基準信号入力端子ＣＩＮを介して第２基準信号Ｂ２が戻ってきたことを検証できれば、それはコンポジットビデオ入力端子ＶＩＮ２と出力端子ＶＯとがビデオ／オーディオセレクタ回路５Ａにより接続され、かつオーディオ入力端子ＡＩＮ２とスピーカ出力端子ＳＰＯとが接続されていること、すなわちＡＶアンプ５に対してＶＴＲ１３がソースとして選択されていることを認識し得、その結果、ビデオ信号切替用セレクタ回路１５の切替端子１５ＡをＶＴＲ１３に対応したＳビデオ入力端子ＳＩＮ２に設定するよう制御し、ＶＴＲ１３からのＳビデオ信号ＳＶ２をＳビデオ出力端子ＳＯからモニター６へ出力し、そのＳビデオ信号ＳＶ２に基づく映像を表示させる。
【００５９】
同様にアンプ連動セレクタ１０１のマイコン１０２は、基準信号入力端子ＣＩＮを介して第３基準信号Ｂ３が戻ってきたことを検証できれば、それはコンポジットビデオ入力端子ＶＩＮ３と出力端子ＶＯとがビデオ／オーディオセレクタ回路５Ａにより接続され、かつオーディオ入力端子ＡＩＮ３とスピーカ出力端子ＳＰＯとが接続されていること、すなわちＡＶアンプ５に対してＣＳチューナ１４がソースとして選択されていることを認識し得、その結果、ビデオ信号切替用セレクタ回路１５の切替端子１５ＡをＣＳチューナ１４に対応したＳビデオ入力端子ＳＩＮ３に設定するよう制御し、ＣＳチューナ１４からのＳビデオ信号ＳＶ３をＳビデオ出力端子ＳＯからモニター６へ出力し、そのＳビデオ信号ＳＶ３に基づく映像を表示させる。
【００６０】
このようにホームシアターシステム１００のアンプ連動セレクタ１０１は、ＡＶアンプ５のビデオ／オーディオセレクタ回路５Ａがコンポジットビデオ信号の切替機能しか持たず、Ｓビデオ信号ＳＶ１〜ＳＶ３の切替機能を有していない場合であっても、そのＡＶアンプ５に対するユーザのソース選択に応じたオーディオ信号Ａ１〜Ａ３の何れかに連動させて、Ｓビデオ信号ＳＶ１〜ＳＶ３の何れかをモニター６へ出力することができる。
【００６１】
従って、ホームシアターシステム１００では、Ｓビデオ信号ＳＶ１〜ＳＶ３の切替機能を有している新たなＡＶアンプに買い換えさせる負担をユーザに強いることがなく、また既存のＡＶアンプ５を併用しながら、新たなアンプ連動セレクタ１０１をＤＶＤレコーダ１２、ＶＴＲ１３及びＣＳチューナ１４とＡＶアンプ５に接続するだけで、ＡＶアンプ５が未対応の新たなフォーマットでなるＳビデオ信号ＳＶ１〜ＳＶ３についても、そのオーディオ信号Ａ１〜Ａ３と連動させた入力切替処理を自動的に実行させることができる。
【００６２】
以上の構成によれば、ホームシアターシステム１００では、ＡＶアンプ５により選択したコンテンツのオーディオ信号Ａ１〜Ａ３を出力する一方、そのオーディオ信号Ａ１〜Ａ３と連動したＳビデオ信号ＳＶ１〜ＳＶ３をアンプ連動セレクタ１０１により自動で切り替えて出力することができる。
【００６３】
（３）他の実施の形態
なお上述の実施の形態においては、ＤＶＤレコーダ１２、ＶＴＲ１３及びＣＳチューナ１４の３つの電子機器をハードウェアとしてＡＶアンプ５及びアンプ連動セレクタ１０１に接続し、当該アンプ連動セレクタ１０１による信号選択切替処理手順（図４）を行う最大出力数を「３」と設定した場合について述べたが、本発明はこれに限らず、その他の数でなる最大出力数を設定したり、上述したハードウェアに限らず、映像信号を出力可能なゲーム機、ノートブック型パーソナルコンピュータ、ＰＤＡ(Personal Digital Assistant)、携帯電話機等その他の種々の電子機器をハードウェアをＡＶアンプ５及びアンプ連動セレクタ１０１に接続するようにしても良い。
【００６４】
また上述の実施の形態においては、コンポジットビデオ信号の切替機能しか持たないＡＶアンプ５と、ＤＶＤレコーダ１２、ＶＴＲ１３及びＣＳチューナ１４からそれぞれ出力されるＳビデオ信号の入力切替操作を行うアンプ連動セレクタ１０１とを連動させるようにした場合について述べたが、ＡＶアンプ５及びアンプ連動セレクタ１０１が扱う信号の種類はこれに限らず、いかなるフォーマットのビデオ信号であっても良い。
【００６５】
特に、最近のハイビジョン対応の電子機器を考慮し、コンポーネントビデオ信号やＨＤＭＩ信号の入力切替操作を行う機能をＡＶアンプ５に要求されることもあるが、本実施の形態におけるＳビデオ信号ＳＶ１〜ＳＶ３をコンポーネントビデオ信号やＨＤＭＩ信号に置き換えることにより、当該アンプ連動セレクタ１０１によるコンポーネントビデオ信号やＨＤＭＩ信号の入力切替操作をＡＶアンプ５に連動させることができる。
【００６６】
さらに上述の実施の形態においては、発振回路１０４により互いに同期の異なる第１基準信号Ｂ１〜第３基準信号Ｂ３を生成し、切替端子１０３Ａを基準信号出力端子ＣＯ１〜基準信号出力端子ＣＯ３まで順次切り替えながら、順番に出力するようにした場合について述べたが、本発明はこれに限らず、これら第１基準信号Ｂ１〜第３基準信号Ｂ３を基準信号出力端子ＣＯ１〜基準信号出力端子ＣＯ３から全て同時に出力するようにしても良い。
【００６７】
この場合、ユーザのソース選択に合わせてＡＶアンプのビデオ／オーディオセレクタ回路５Ａによって切り替えられているコンポジットビデオ入力端子ＶＩＮ１〜コンポジットビデオ入力端子ＶＩＮ３の何れかからのみ、第１基準信号Ｂ１〜第３基準信号Ｂ３の何れかが出力端子ＶＯ及び基準信号入力端子ＣＩＮを順次介してアンプ連動セレクタ１０２に戻されるので、それを検出できたタイミングで、ＡＶアンプ５に対して何がソースとして選択されたのかをマイコン１０２が判別できる。すなわち、マイコン１０２は、第１基準信号Ｂ１〜第３基準信号Ｂ３を順番に出力してソースを判別する場合に比べて短時間のうちにソースを判別し得、アンプ連動セレクタ１０１による入力切替操作をソース選択に合わせて直ちに行うことができる。
【００６８】
さらに上述の実施の形態においては、発振回路１０４により互いに同期の異なる第１基準信号Ｂ１〜第３基準信号Ｂ３を生成し、これを、ＡＶアンプ５のコンポジットビデオ入力端子ＶＩＮ１〜ＶＩＮ３、ビデオ／オーディオセレクタ回路５Ａ及び出力端子ＶＯからなるビデオ信号経路を用いてＡＶアンプ５によりユーザ選択されたソースを判別するようにした場合について述べたが、本発明はこれに限らず、可聴帯域範囲外のオーディオ信号や、ユーザには聴こえ難い帯域のオーディオ信号の信号経路を用いてＡＶアンプ５によりユーザ選択されたソースを判別するようにしても良い。
【００６９】
さらに上述の実施の形態においては、ビデオ信号切替用セレクタ回路１５によりＳビデオ信号ＳＶ１〜ＳＶ３を切り替えるようにした場合について述べたが、本発明はこれに限らず、Ｓ／ＰＤＩＦ(Sony/Philips Digital Interface)と呼ばれるディジタルオーディオ信号や、アナログオーディオ信号を扱う入力セレクタにより、ディジタルオーディオ信号やアナログオーディオ信号を切り替えるようにしても良い。
【００７０】
具体的には、ＤＶＤレコーダ１２、ＶＴＲ１３及びＣＳチューナ１４からディジタルオーディオ信号が出力されている場合、その切り替え操作を、ビデオ信号切替用セレクタ回路１５の代わりにディジタルオーディオ信号用の入力セレクタを用いて行うことができる。
【００７１】
さらに上述の実施の形態においては、ビデオ信号切替用セレクタ回路１５によりＡＶアンプ５と連動させてＳビデオ信号ＳＶ１〜ＳＶ３を切り替えるようにした場合について述べたが、本発明はこれに限らず、コンポジットビデオ信号、Ｓビデオ信号、ＲＧＢビデオ信号、コンポーネントビデオ信号、ＨＤＭＩビデオ信号、光ディジタルオーディオ信号、オーディオ信号等にそれぞれ対応した複数のセレクタ回路を用意し、それらをＡＶアンプ５に対するソース選択と同時に連動させるようにしても良い。
【００７２】
こうすることによりホームシアターシステム１００では、既存のＡＶアンプ５のようなセレクタ機能を用いた機器の有効利用が可能となり、機器の買い替えなしに新しいフォーマットの連動切替操作を実現することができる。
【００７３】
さらに上述の実施の形態においては、アンプ連動セレクタ１０１のマイコン１０２が信号選択切替プログラムに従い、検出回路１０５による検出結果に基づいて基準信号用セレクタ回路１０３、発振回路（ＯＳＣ）１０４及びビデオ信号切替用セレクタ回路１５を制御し、入力切替連動処理手順（図４）を実行するようにした場合について述べたが、本発明はこれに限らず、記録媒体からインストールした信号選択切替プログラムや、インターネットからダウンロードした信号選択切替プログラムに従ってルーチンＲＴ１における入力切替連動処理手順を実行するようにしても良い。
【００７４】
さらに上述の実施の形態においては、基準信号生成手段としてのマイコン１０２及び発振回路１０４と、ソース認識手段としてのマイコン１０２、基準信号用セレクタ回路１０３及び基準信号入力端子ＣＩＮと、信号選択切替手段としてのマイコン１０２及びビデオ信号切替用セレクタ回路１５とによって本願発明におけるセレクタ装置としてのアンプ連動セレクタ１０１を構成するようにした場合について述べたが、本発明はこれに限らず、自身でタイミングを作って同期信号を生成するその他種々の回路構成でなる基準信号生成手段、その他種々の回路構成でなるソース認識手段及び信号選択切替手段によってセレクタ装置を構成するようにしても良い。
【産業上の利用可能性】
【００７５】
本発明のセレクタ装置、信号選択切替方法及び信号選択切替プログラム、例えばホームシアターシステムだけでなく、例えばカーオーディオシステムや映画館等におけるシアターシステム等の種々の音響システムに適用することができる。
【図面の簡単な説明】
【００７６】
【図１】従来のホームシアターシステムの構成（１）を示す略線的ブロック図である。
【図２】従来のホームシアターシステムの構成（２）を示す略線的ブロック図である。
【図３】本発明による一実施の形態におけるホームシアターシステムの構成を示す略線的ブロック図である。
【図４】信号選択切替処理手順を示すフローチャートである。
【図５】入力切替テーブルを示す略線図である。
【符号の説明】
【００７７】
１、１０、１００……ホームシアターシステム、２、１２……ＤＶＤレコーダ、３、１３……ＶＴＲ、４、１４……ＣＳチューナー、５……ＡＶアンプ、６……モニター、７……スピーカ、１５……ビデオ信号切替用セレクタ回路、１０１……アンプ連動セレクタ、１０２……マイコン、１０３……基準信号用セレクタ回路、１０４……発振回路、１０５……検出回路。
【図１】
2008182450.tif 000003
【図２】
2008182450.tif 000004
【図３】
2008182450.tif 000005
【図４】
2008182450.tif 000006
【図５】
2008182450.tif 000007